(57)【要約】【課題】  積層されるそれぞれの液晶パネルに設けられる透明基板を同一のものとし、透明基板の量産化を高めた液晶表示装置を得る。【解決手段】  液晶パネルは、それぞれ同一の導体パターンと同じ位置に形成される電極端子部とを有する３層の共通層液晶パネル１１が積層されて形成され、この積層された各共通層液晶パネル１１の電極線６０に電圧を印加するための制御信号を出力する制御基板と各液晶パネルの電極端子部とは、ＴＣＰ２０によって接続され、このＴＣＰ２０は上方からは重なって見えるように配線され、そのため、同一の導体パターンと同一位置の電極端子部とを有する共通層液晶パネル１１を積層して構成部品の共通化によるコスト軽減を図ると共に、実装時のＴＣＰによる配線面積を縮小することができる。【選択図】図１
2005202074.tif 000002
【特許請求の範囲】
【請求項１】
それぞれ同一導体パターンと同一位置の電極端子部とを有する複数の液晶パネルが積層されて形成された液晶パネル部、この液晶パネル部による表示のための制御信号を出力する制御基板、及び上記液晶パネルの上記電極端子部と上記制御基板とを接続するように配置されたフレキシブル配線基板を備えたことを特徴とする液晶表示装置。
【請求項２】
上記液晶パネルの電極端子部を、上記液晶パネルのガラス壁面に設けたことを特徴とする請求項１記載の液晶表示装置。
【請求項３】
上記フレキシブル配線基板は、上記フレキシブル配線基板が接続される上記液晶パネルの積層位置に応じて異なる長さを有することを特徴とする請求項１または請求項２記載の液晶表示装置。
【請求項４】
上記フレキシブル配線基板には、直角に折り曲げられるように折り曲げスリットが設けられていることを特徴とする請求項１〜請求項３のいずれかに記載の液晶表示装置。
【請求項５】
上記フレキシブル配線基板には、３つ以上の折り曲げスリットが設けられ、上記フレキシブル配線基板が接続される上記液晶パネルの積層位置に応じて上記折り曲げスリットで折り曲げることにより長さを変えられることを特徴とする請求項１または請求項２記載の液晶表示装置。
【請求項６】
それぞれ同一導体パターンと同一位置の電極端子部とを有する赤色用液晶パネル、青色用液晶パネル及び緑色用液晶パネルを積層することによりフルカラーの液晶パネルを構成することを特徴とする液晶表示装置。
【発明の詳細な説明】
【技術分野】
【０００１】
この発明は、液晶パネルと制御基板とそれらを接続するフレキシブル配線基板（ＴＣＰ：Ｔａｐｅ  ｃａｒｒｉｅｒ  ｐａｃｋａｇｅ）とにより構成される液晶表示装置に関するものである。
【背景技術】
【０００２】
特許文献１には、それぞれ一対の透明基板に液晶材料を挟む構造の赤、緑、青の液晶パネルが、３層に積層された液晶表示装置が記載されている。この透明基板には、液晶駆動電圧印加用の電極線がパターン形成され、その電極配線の外部取り出し口、すなわち、電極端子部は、赤、緑、青それぞれ異なる位置に設けられ、上部から見ると重ならないように配置されている。また、この３層に形成された液晶表示装置を発色させ、しかるべき画面を形成させる制御を行う制御基板が設けられている。この制御基板と液晶表示装置は、フレキシブル配線基板（ＴＣＰ）にて接続される。
上層液晶パネル、中層液晶パネル、下層液晶パネルは、一対の透明基板で液晶材料を挟んだ構造と成っており、それぞれの透明基板にある液晶駆動電圧印加用の電極線パターンが異なり、外部取り出しの電極端子部は上方から見て、重ならない位置に配置されている。そのため、各層と制御基板とを接続するＴＣＰは、上方から見ると互いに重ならないようになっている。
【０００３】
【特許文献１】特開２００２−１６９４８９号公報（第３−５頁、第１図）
【発明の開示】
【発明が解決しようとする課題】
【０００４】
特許文献１に記載された従来の３種類の液晶パネルを積層した液晶表示装置は、液晶パネルの各層毎に電極端子部をずらして配置し、各層と制御基板とを接続するＴＣＰは、上部から見ると重ならないように配置される構成となっていた。そのため、ＴＣＰによる配線面積が広く、３種類の液晶パネルが必要で、コストが高くなるといった課題がある。すなわち、３色の層それぞれにパターンが異なった透明基板が必要となるので、３種類のパターン設計をするという課題がある。
また、従来のＴＣＰが並んだ構造では、通気が悪いので、放熱性能に課題があった。
【０００５】
この発明は、上記のような課題を解決するためになされたものであり、積層されるそれぞれの液晶パネルに設けられる透明基板を同一のものとし、透明基板の量産化を高めた液晶表示装置を得ることを目的とする。
【課題を解決するための手段】
【０００６】
この発明に係わる液晶表示装置においては、それぞれ同一導体パターンと同一位置の電極端子部とを有する複数の液晶パネルが積層されて形成された液晶パネル部、この液晶パネル部による表示のための制御信号を出力する制御基板、及び液晶パネルの電極端子部と制御基板とを接続するように配置されたフレキシブル配線基板を備えたものである。
【発明の効果】
【０００７】
この発明は、以上説明したように、それぞれ同一導体パターンと同一位置の電極端子部とを有する複数の液晶パネルが積層されて形成された液晶パネル部、この液晶パネル部による表示のための制御信号を出力する制御基板、及び液晶パネルの電極端子部と制御基板とを接続するように配置されたフレキシブル配線基板を備えたので、同一導体パターンと同一位置の電極端子部とを有する液晶パネルを積層することにより、構成部品の共通化によるコスト軽減を図ることができると共に、フレキシブル配線基板は、同一位置の電極端子部に接続されることにより重ねられるように接続され、実装時のフレキシブル配線基板による配線面積を縮小することができる。
【発明を実施するための最良の形態】
【０００８】
実施の形態１．
以下、この発明の実施の形態１を図１〜７に基づいて説明する。
図１は、この発明の実施の形態１による液晶表示装置の液晶パネルの電極配線図である。
図１において、３層の液晶パネルの各層に共通の共通層液晶パネル１１には、Ｙ方向の電極線６０のみが示され、各層の共通層液晶パネル１１にはＴＣＰ２０が上方から見て重なるように接続されている。ＴＣＰ２０は、後述する制御基板からの制御信号を受けて、共通層液晶パネル１１の電極線６０に印加する電圧を制御する。
図２は、この発明の実施の形態１による液晶表示装置の液晶パネルを示す平面図である。
図２において、図１の共通層液晶パネル１１が３層に形成された液晶パネル１０（液晶パネル部）と、液晶パネル１０の各層にＴＣＰ２０が接続されている。
【０００９】
図３は、この発明の実施の形態１による液晶表示装置の液晶パネルを示す断面図であり、図２の平面図の断面図である。
図３において、１０、２０は図２におけるものと同一のものである。液晶パネル１０は、上層液晶パネル１２と、中層液晶パネル１３と、下層液晶パネル１４により構成され、それぞれの層には、電極端子部５０が、同じ位置に設けられている。
図４は、この発明の実施の形態１による液晶表示装置の制御基板を示す平面図である。
図４において、制御基板３０は、液晶パネルによる表示の制御を行うようにＴＣＰ２０に制御信号を電気的に送信する。この制御基板３０には、ＴＣＰ２０が接続されるコネクタ４０が設けられている。
【００１０】
図５は、この発明の実施の形態１による液晶表示装置を示す断面図である。
図５において、３層に積層された液晶パネル１０のそれぞれの層と、ＴＣＰ２０が接続されるコネクタ４０が設けられた制御基板３０とをＴＣＰ２０により電気的に接続している。
図６は、この発明の実施の形態１による液晶表示装置のＴＣＰを示す概要平面図である。
図６において、ＴＣＰ２０の形状が示されている。
【００１１】
図７は、この発明の実施の形態１による液晶表示装置の液晶パネル毎のＴＣＰを示す平面図である。
図７において、図７（ａ）、図７（ｂ）、図７（ｃ）には、上層液晶パネルへ接続されるＴＣＰ２１、中層液晶パネルへ接続されるＴＣＰ２２、下層液晶パネルへ接続されるＴＣＰ２３と、それぞれ長さが異なるＴＣＰが示されている。
【００１２】
次に、動作について説明する。
実施の形態１は、液晶表示装置を構成する上層液晶パネル、中層液晶パネル、下層液晶パネルを、図１の共通層液晶パネル１１に統一し、この共通層液晶パネル１１のみで積層して、図２に示された液晶パネル１０を形成している。この特徴として、液晶パネル１０に接続されるＴＣＰ２０は、３枚ずつ重ねて接続された構造となっており、ＴＣＰ２０の配線面積が少なくなる。
【００１３】
図２の液晶パネル１０は、図３に断面図で示されるように、上層液晶パネル１２、中層液晶パネル１３、下層液晶パネル１４を積層した構造となっており、電極端子部５０は、それぞれの液晶パネルにおいて同じ位置に形成されているので、ＴＣＰ２０は、３枚重なるように接続された構造となっている。
【００１４】
ＴＣＰ２０の他端が接続される制御基板３０は、液晶パネル１０の電極線６０に印加する電圧を制御するＴＣＰ２０へ制御信号を電気的に送信する。液晶パネル１０に接続されたＴＣＰ２０は、上述のように３層となっているので、ＴＣＰ２０が接続される制御基板３０のコネクタ４０は、図４に示されるように、３列に配列される。
【００１５】
図５には、積層された液晶パネル１０と、その３層のそれぞれ電気的に接続されるＴＣＰ２０と、ＴＣＰ２０を受けるコネクタ４０を設けられている制御基板３０が、示されている。このＴＣＰ２０の形状は図６に示されるとおりである。
【００１６】
図６に示されるような形状のＴＣＰ２０は、図５に示されるように、液晶パネル１０と制御基板３０のコネクタ４０とを３層に重なるように接続しており、それぞれの層で液晶パネル１０から制御基板３０のコネクタ４０までの距離が異なっている。このため、実施の形態１では、この距離の差を考慮したＴＣＰ２０を図７のように構成している。すなわち、上層液晶パネル１２へ接続されるＴＣＰ２１、中層液晶パネル１３へ接続されるＴＣＰ２２、下層液晶パネル１４へ接続されるＴＣＰ２３は、それぞれ長さが異なっている。このＴＣＰ２１、ＴＣＰ２２、ＴＣＰ２３は、制御基板３０から制御信号を受け、上層液晶パネル１６、中層液晶パネル１７、下層液晶パネル１８の電極線６０に印加する電圧をそれぞれ制御する。
【００１７】
実施の形態１によれば、以上のように、１種類の導体パターン及び同一位置の電極端子部を有する共通層液晶パネル１１のみを積層することになり、構成部品の共通化によるコスト軽減を図ることができる。
また、ＴＣＰ２１、ＴＣＰ２２、ＴＣＰ２３は、重ねられるように接続されているので、実装時のＴＣＰによる配線面積が縮小し、通気が良くなることにより放熱性の点で優れる効果がある。
【００１８】
実施の形態２．
図８は、この発明の実施の形態２による大型画面構成時の液晶表示装置の断面図である。
図８において、１０、３０、４０は図５におけるものと、２１、２２、２３は図７におけるものとそれぞれ同一のものである。図８では、複数の液晶パネル１０を用いて大型画面が構成されている。
図９は、この発明の実施の形態２による液晶パネルを示す断面図である。
図９において、１２、１３、１４、２０、５０は図３におけるものと同一のものである。図９の電極端子部５０は、液晶パネルのガラス壁面に設けられている。
【００１９】
実施の形態１の液晶パネル１０を、図８のように並べて配置して大型画面を構成する場合、液晶パネル１０と制御基板３０上のコネクタ４０を接続するＴＣＰ２０の立体配線の空間が必要になるため、液晶パネル１０の間に隙間が生じ、目地が発生していた。
実施の形態１の図３では、上層液晶パネル１２、中層液晶パネル１３、下層液晶パネル１４において、ガラス表面に電極端子部５０があったが、実施の形態２は、電極端子部５０の導体部分をガラス表面からガラス壁面まで延長させる、あるいは図９に示すように、ガラスの壁面に電極端子部５０を設けている。
【００２０】
実施の形態２によれば、これにより、大型画面を形成する時の液晶パネル１０間の隙間を縮小し、目地の軽減が図れる効果がある。
【００２１】
実施の形態３．
図１０は、この発明の実施の形態３による液晶パネル毎のＴＣＰを示す平面図である。
図１０において、図１０（ａ）、図１０（ｂ）、図１０（ｃ）には、上層液晶パネルへ接続されるＴＣＰ２１、中層液晶パネルへ接続されるＴＣＰ２２、下層液晶パネルへ接続されるＴＣＰ２３が示され、それぞれに上部及び下部にスリット７０が設けられている。
図１１は、この発明の実施の形態３による液晶パネルを示す断面図である。
図１１において、１２、１３、１４、２０、５０は図３におけるものと同一のものである。ＴＣＰ２０は直角に折り曲げられている。
【００２２】
実施の形態１の液晶パネル１０を、図８のように並べて配置して大型画面を構成する場合、液晶パネル１０と制御基板３０上のコネクタ４０を接続するＴＣＰ２０の立体配線の空間が必要になるため、液晶パネル１０の間に隙間が生じ、目地が発生していた。
そこで実施の形態３では、図１０のように、ＴＣＰ２０の上部及び下部に、折り曲げスリット７０を持たせて、折り曲げを可能とし、図１１のように、ＴＣＰ２０を、上層液晶パネル１２、中層液晶パネル１３、下層液晶パネル１４から直角に折り曲げ、制御基板３０に配線するようにした。
【００２３】
実施の形態３によれば、これにより、ＴＣＰの配線スペースが縮小され、液晶表示装置の額縁面積が最小化し、また液晶表示装置の目地が縮小される効果が得られる。
【００２４】
実施の形態４．
図１２は、この発明の実施の形態４による折り曲げスリットを追加したＴＣＰを示す平面図である。
図１２において、ＴＣＰ２４には３つ以上の複数のスリット７０が設けられている。
図１３は、この発明の実施の形態４による液晶表示装置を示す断面図である。
図１３において、１０、３０、４０は図５におけるものと、２４は図１２におけるものとそれぞれ同一のものである。
【００２５】
実施の形態１では、液晶パネル１０と制御基板３０を電気的に接続するＴＣＰ２０は、上層液晶パネル１２、中層液晶パネル１３、下層液晶パネル１４と制御基板３０上のコネクタ４０との距離が異なるため、長さが異なるＴＣＰ２１、ＴＣＰ２２、ＴＣＰ２３の３種類を準備していた。
実施の形態４では、図１２に示すように、１種類のＴＣＰ２４に折り曲げスリット７０を３つ以上の複数設け、例えば合計５個を設けるようにする。図１３のように、液晶パネル１２、液晶パネル１３、液晶パネル１４に接続されているそれぞれのＴＣＰ２４をスリット７０により３種類に折り曲げて、制御基板３０上のコネクタ４０へ接続するようにした。
【００２６】
実施の形態４によれば、これにより、ＴＣＰは、１種類のＴＣＰ２４のみで構成され、部品数が低減され、量産によるコスト低減が図れる効果がある。
【図面の簡単な説明】
【００２７】
【図１】この発明の実施の形態１による液晶表示装置の液晶パネルの電極配線図である。
【図２】この発明の実施の形態１による液晶表示装置の液晶パネルを示す平面図である。
【図３】この発明の実施の形態１による液晶表示装置の液晶パネルを示す断面図である。
【図４】この発明の実施の形態１による液晶表示装置の制御基板を示す平面図である。
【図５】この発明の実施の形態１による液晶表示装置を示す断面図である。
【図６】この発明の実施の形態１による液晶表示装置のＴＣＰを示す概要平面図である。
【図７】この発明の実施の形態１による液晶表示装置の液晶パネル毎のＴＣＰを示す平面図である。
【図８】この発明の実施の形態２による大型画面構成時の液晶表示装置の断面図である。
【図９】この発明の実施の形態２による液晶パネルを示す断面図である。
【図１０】この発明の実施の形態３による液晶パネル毎のＴＣＰを示す平面図である。
【図１１】この発明の実施の形態３による液晶パネルを示す断面図である。
【図１２】この発明の実施の形態４による折り曲げスリットを追加したＴＣＰを示す平面図である。
【図１３】この発明の実施の形態４による液晶表示装置を示す断面図である。
【符号の説明】
【００２８】
１０  液晶パネル
１１  共通層液晶パネル
１２  上層液晶パネル
１３  中層液晶パネル
１４  下層液晶パネル  
２０，２１，２２，２３，２４  ＴＣＰ
３０  制御基板
４０  コネクタ
５０  電極端子部
６０  電極線
７０  折り曲げスリット
【図１】
2005202074.tif 000003
【図２】
2005202074.tif 000004
【図３】
2005202074.tif 000005
【図４】
2005202074.tif 000006
【図５】
2005202074.tif 000007
【図６】
2005202074.tif 000008
【図７】
2005202074.tif 000009
【図８】
2005202074.tif 000010
【図９】
2005202074.tif 000011
【図１０】
2005202074.tif 000012
【図１１】
2005202074.tif 000013
【図１２】
2005202074.tif 000014
【図１３】
2005202074.tif 000015